(57)【要約】      （修正有）【課題】フィルタがフィルタ保持枠から外れない機能を備えつつ、通風抵抗を低減することのできるフィルタユニットを提供する。【解決手段】フィルタユニットは、フィルタの外周側の側面を覆う筒部と、筒部からフィルタの内径方向へと張り出してフィルタを通風方向の前後から挟む一対のフィルタフランジ部４５、４６と、を備えたフィルタ保持枠２３ａｃを備え、フィルタフランジ部４５、４６は、筒部からフィルタの内径方向へと張り出す幅の長さをフランジ幅としたとき、フランジ幅が大きい幅広部と、幅広部よりもフランジ幅が小さい幅狭部とを有する。【選択図】図１２
2018164592.tif 000002
【特許請求の範囲】
【請求項１】
円板状に形成されるフィルタと、
前記フィルタと対向して配置される放熱板と、
前記放熱板を加熱することにより前記フィルタの一部を加熱するヒータと、
前記放熱板に対して前記フィルタを移動させる駆動部と、
前記放熱板を覆って加熱空間を形成するケースと、を備えるフィルタユニットにおいて、
前記フィルタを保持するフィルタ保持枠を備え、
前記フィルタ保持枠は、前記フィルタの外周側の側面を覆う筒部と、前記筒部から前記フィルタの内径方向へと張り出して前記フィルタを通風方向の前後から挟む一対のフィルタフランジ部とを備え、
前記フィルタフランジ部は、前記筒部から前記フィルタの内径方向へと張り出す幅の長さをフランジ幅としたとき、前記フランジ幅が大きい幅広部と、前記幅広部よりも前記フランジ幅が小さい幅狭部とを有する、
ことを特徴とするフィルタユニット。
【請求項２】
前記フィルタフランジ部は、環状に繋がるように形成されている、
ことを特徴とする請求項１に記載のフィルタユニット。
【請求項３】
前記フィルタフランジ部は、前記フィルタの円周方向に隣り合っている前記幅広部と前記幅狭部との間において、前記幅広部から前記幅狭部に向かうにつれて前記フランジ幅が徐々に小さくなるように形成される、
ことを特徴とする請求項１または請求項２に記載のフィルタユニット。
【請求項４】
請求項１乃至請求項３のいずれか１項に記載のフィルタユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、フィルタユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが回転可能に設けられるとともに、脱臭フィルタの一部を放熱板で加熱する加熱部を備える空気清浄機が知られている。
【先行技術文献】
【特許文献】
【０００３】
【特許文献１】特開平１０−２７７３６５号公報
【特許文献２】特開２０１６−４９４０２号公報
【発明の概要】
【発明が解決しようとする課題】
【０００４】
ここで特許文献２の空気清浄機には、脱臭フィルタを外周面側から保持するフィルタ保持枠に、脱臭フィルタを通風方向前後から挟んで保持する円環状のフランジ部が設けられているものが記載されている。このような構成を備える場合、脱臭フィルタが通風方向前後から円環状のフランジ部で挟まれて保持されるので、脱臭フィルタがフィルタ保持枠から外れてしまうのを防止することができる。
【０００５】
しかしながら、この構成では、円環状のフランジ部によって脱臭フィルタの外周側の通風面が覆われてしまうので、脱臭フィルタの放熱板対向面における通風可能な領域が縮小してしまう。そのためフィルタ保持枠による通風抵抗が大きくなり、十分な送風量を確保できなくなるおそれがあるという問題があった。
【０００６】
本発明は、上記に鑑みてなされたものであって、フィルタがフィルタ保持枠から外れてしまうのを防止しつつ、通風抵抗を低減することのできるフィルタユニットを提供することを目的とする。
【課題を解決するための手段】
【０００７】
本願の開示するフィルタユニットの一態様は、円板状に形成されるフィルタと、フィルタと対向して配置される放熱板と、放熱板を加熱することによりフィルタの一部を加熱するヒータと、放熱板に対してフィルタを移動させる駆動部と、放熱板を覆って加熱空間を形成するケースと、を備えるフィルタユニットにおいて、フィルタを保持するフィルタ保持枠を備え、フィルタ保持枠は、フィルタの外周側の側面を覆う筒部と、筒部からフィルタの内径方向へと張り出してフィルタを通風方向の前後から挟む一対のフィルタフランジ部とを備え、フィルタフランジ部は、筒部からフィルタの内径方向へと張り出す幅の長さをフランジ幅としたとき、フランジ幅が大きい幅広部と、幅広部よりフランジ幅が小さい幅狭部とを有する。
【発明の効果】
【０００８】
本願の開示するフィルタユニットの一態様によれば、フィルタがフィルタ保持枠から外れるのを防止しつつ、フィルタの放熱板対向面における通風領域を拡大して通風抵抗を低減することができる。
【図面の簡単な説明】
【０００９】
【図１】図１は、実施例１の空気清浄機の外観を示す斜視図である。
【図２】図２は、実施例１の空気清浄機を示す平面図である。
【図３】図３は、図１におけるＡ−Ａ断面図である。
【図４】図４は、図１におけるＢ−Ｂ断面図である。
【図５】図５は、実施例１のフィルタユニットを示す斜視図である。
【図６】図６は、実施例１のフィルタユニットを示す分解斜視図である。
【図７】図７は、フィルタ再生部を示す断面図である。
【図８】図８は、フィルタ再生部を示す分解斜視図である。
【図９】図９は、実施例１のフィルタユニットの脱臭フィルタ部を示す斜視図である。
【図１０】図１０は、図９におけるＤ−Ｄ断面斜視図である。
【図１１】図１１は、図９におけるＤ−Ｄ断面図である。
【図１２】図１２は、実施例１のフィルタユニットの脱臭フィルタ部を示す平面図である。
【図１３】図１３は、実施例１のフィルタユニットの脱臭フィルタ部を示す拡大図である。
【図１４】図１４は、実施例２のフィルタユニットの脱臭フィルタ部を示す平面図である。
【図１５】図１５は、実施例３のフィルタユニットの脱臭フィルタ部を示す平面図である。
【図１６】図１６は、実施例４のフィルタユニットの脱臭フィルタ部を示す平面図である。
【発明を実施するための形態】
【００１０】
以下に、本願の開示するフィルタユニット及び空気清浄機の実施例を図面に基づいて詳細に説明する。なお、以下の実施例によって、本願の開示するフィルタユニット及び空気清浄機が限定されるものではない。また、以下の記載においては、同一の構成要素に同一の符号を付与し、重複する説明を省略する。
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で成形され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃとは、互いに対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で成形され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄからそれぞれ本体筐体１１に吸い込んだ空気を、上面吹出口１４ａ、右側面吹出口１４ｂ及び左側面吹出口１４ｃからそれぞれ吹き出す間に、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、フィルタユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通じることにより、通風路１０を流れる空気を加湿する。
【００２２】
なお、加湿ユニット２４は、上記の構成に限らず、貯水タンク２４ｂに溜められた水を回転により吸い上げる加湿フィルタ２４ａが、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を通風路１０に流入させる。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間の空間を通過する空気に比較して、第１電気集塵機２２ａと第２電気集塵機２２ｂとを通過する空気に対する集塵能力が大きい。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
図５は、実施例のフィルタユニットを示す斜視図である。実施例のフィルタユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの円周方向における一部の両面を覆っている。保持部２３ｇは、本体筐体１１に固定されており、脱臭フィルタ部２３ａ及びフィルタ再生部２３ｆを支持している。
【００２７】
図６は、実施例のフィルタユニットを示す分解斜視図である。保持部２３ｇは、図６に示すように、合成樹脂材によって略四角形状に形成されており、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
脱臭ユニット２３は、さらに、２個のローラ２３ｍ、回転検出用歯車２３ｋ、回転検出部２３ｒ、駆動部２３ｈ、駆動歯車２３ｊ及び４枚の押さえ部材２３ｚを有する。２個のローラ２３ｍの各々は、合成樹脂材によって形成されており、筒部２３ｍｂ、上フランジ２３ｍｃ及び下フランジ２３ｍｄを有する。筒部２３ｍｂは、孔２３ｍａを有する円筒形状に形成されている。上フランジ２３ｍｃ及び下フランジ２３ｍｄは、各々筒部２３ｍｂよりも直径が大きい円板形状に形成されており、筒部２３ｍｂの両端から外周側へ張り出している。保持部２３ｇには、２本の第１軸２３ｇａが形成されている。２本の第１軸２３ｇａは、保持部２３ｇの下方（保持部２３ｇを通風路１０に配置したときに下側となる箇所。以下、「下方」と記載）の両隅に配置されている。２本の第１軸２３ｇａは、それぞれ、２個のローラ２３ｍの孔２３ｍａに挿入されることにより、２個のローラ２３ｍを回転自在に支持している。
【００２９】
回転検出用歯車２３ｋは、合成樹脂材によって形成されている。保持部２３ｇには、さらに、第２軸２３ｇｂが形成されている。第２軸２３ｇｂは、再生部収納部２３ｇｅの左側（脱臭フィルタ部２３ａを前面側から見たときの左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えば、フォトインタラプタが用いられている。フォトインタラプタは、発光部及び受光部を有しており、発光部と受光部が、検知対象を挟んで互いに対向して配置されている。フォトインタラプタは、発光部から発光された光を受光部で検出することにより、検知対象の有無や位置を判定することが可能になる。
【００３０】
駆動歯車２３ｊは、合成樹脂材で形成されている。駆動部２３ｈは、例えばステッピングモータを有しており、ステッピングモータの出力軸に駆動歯車２３ｊが取り付けられている。保持部２３ｇには、さらに、駆動部固定部２３ｇｃが形成されている。駆動部固定部２３ｇｃは、再生部収納部２３ｇｅの右側（脱臭フィルタ部２３ａを前面側から見たときの右側）に配置されて、駆動部２３ｈを支持している。駆動部２３ｈは、駆動歯車２３ｊを回転させる。
【００３１】
４枚の押さえ部材２３ｚは、合成樹脂材によって、略五角形状の板材として形成されており、保持部２３ｇに嵌め込み可能な形状に形成されている。押さえ部材２３ｚは、２個のローラ２３ｍ、回転検出用歯車２３ｋ、駆動部２３ｈ及び駆動歯車２３ｊが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００３２】
図７は、フィルタ再生部を示す断面図であり、図６のＥ−Ｅ断面を示している。フィルタ再生部２３ｆは、図７に示されているように、ケース２３ｅと放熱板２３ｃとＰＴＣ（Ｐｏｓｉｔｉｖｅ Ｔｅｍｐｅｒａｔｕｒｅ Ｃｏｅｆｆｉｃｉｅｎｔ）ヒータ２３ｂとを備えている。ケース２３ｅは、略三角柱形状の箱状に形成され、内部に脱臭フィルタ部２３ａの一部を格納している。ケース２３ｅは、組み合わされる一対の前面側ケース２３ｅａと背面側ケース２３ｅｂとを備えている。前面側ケース２３ｅａは、ケース２３ｅの前面側の部分を形成している。背面側ケース２３ｅｂは、ケース２３ｅの背面側の部分を形成している。
【００３３】
放熱板２３ｃは、脱臭フィルタ部２３ａを介して互いに対向して配置される一組の前面側放熱板２３ｃａと背面側放熱板２３ｃｂとを備えている。前面側放熱板２３ｃａは、ケース２３ｅの内部に格納され、脱臭フィルタ部２３ａのうちのケース２３ｅに格納される一部の前面側の表面を覆っている。背面側放熱板２３ｃｂは、ケース２３ｅの内部に格納され、脱臭フィルタ部２３ａのうちのケース２３ｅに格納される一部の背面側の表面を覆っている。
【００３４】
ＰＴＣヒータ２３ｂは、通電されることにより発熱し、温度上昇により抵抗値が増加する性質を利用して、発熱量を自己制御する。ＰＴＣヒータ２３ｂは、直方体形状に形成されており、ケース２３ｅの内部に格納されている。ＰＴＣヒータ２３ｂは、脱臭フィルタ部２３ａの外周側に配置され、前面側放熱板２３ｃａと背面側放熱板２３ｃｂとの間に挟まれるように配置されている。ＰＴＣヒータ２３ｂは、脱臭フィルタ部２３ａが仮想平面３０に沿って重なるように配置されているときに、仮想平面３０に交差するように、配置されている。ＰＴＣヒータ２３ｂは、さらに、脱臭フィルタ部２３ａの外周側に配置されている。すなわち、ＰＴＣヒータ２３ｂは、ＰＴＣヒータ２３ｂを仮想平面３０に正射影した図形が、脱臭フィルタ部２３ａを仮想平面３０に正射影した図形に重ならないように、配置されている。
【００３５】
図８は、フィルタ再生部を示す分解斜視図である。前面側放熱板２３ｃａ及び背面側放熱板２３ｃｂは、熱伝導性が良好である材料から形成されている。その材料としては、アルミニウム材またはアルミ合金材が例示される。前面側放熱板２３ｃａは、図８に示されているように、脱臭フィルタ部２３ａの前面側に配置されている。前面側放熱板２３ｃａは、脱臭フィルタ部２３ａの貫通孔２３ａｄから外周側に向かうにつれて左右方向（脱臭フィルタ部２３ａの円周方向）の幅寸法が大きくなるような略三角形状に形成されている。前面側放熱板２３ｃａは、フィルタ対向面２３ｃａａとカバー対向面２３ｃａｂとを有する。
【００３６】
背面側放熱板２３ｃｂは、脱臭フィルタ部２３ａの背面側に配置されている。背面側放熱板２３ｃｂは、脱臭フィルタ部２３ａの貫通孔２３ａｄから外周側に向かうにつれて左右方向（脱臭フィルタ部２３ａの円周方向）の幅寸法が大きくなるような略三角形状に形成されている。背面側放熱板２３ｃｂは、本体部２３ｃｃと接合部２３ｃｅとを備えている。本体部２３ｃｃは、略三角形状の平坦な板状に形成されている。本体部２３ｃｃは、フィルタ対向面２３ｃｃａとカバー対向面２３ｃｃｂとが形成されている。フィルタ対向面２３ｃｃａは、背面側放熱板２３ｃｂの一方の面であり、カバー対向面２３ｃｃｂは、フィルタ対向面２３ｃｃａの他方の面である。接合部２３ｃｅは、本体部２３ｃｃの脱臭フィルタ部２３ａにおける内周側の側縁部を略Ｌ字状に折り曲げて形成されて、フィルタ対向面２３ｃｃａの側に突出し、接合面２３ｃｅａが形成されている。
【００３７】
脱臭フィルタ部２３ａは、脱臭フィルタ２３ａａ、フィルタ保持枠としての外周部フィルタカバー２３ａｃ、及び内周部フィルタカバー２３ａｅを有する。脱臭フィルタ２３ａａは、円板状に形成されており、中央に貫通孔２３ａｄが形成されている。脱臭フィルタ２３ａａは、脱臭フィルタ２３ａａの厚さ方向に空気が通過するように形成されている。脱臭フィルタ２３ａａは、通過する空気から臭気成分を吸着し、ＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていることと、フィルタ再生部２３ｆが脱臭フィルタ２３ａａの一部のみを覆い大部分を覆っていないことにより、空気抵抗が小さい。
【００３８】
外周部フィルタカバー２３ａｃは、概ね円環状に形成され、脱臭フィルタ２３ａａの外周側に配置され、脱臭フィルタ２３ａａの外周側の側面（フィルタ端面４３）を保護している。内周部フィルタカバー２３ａｅは、概ね円環状に形成され、脱臭フィルタ２３ａａのうちの貫通孔２３ａｄを形成する端面（図示しない貫通孔端面４４）を保護している。
【００３９】
ＰＴＣヒータ２３ｂは、前面側放熱板２３ｃａのフィルタ対向面２３ｃａａ及び背面側放熱板２３ｃｂのフィルタ対向面２３ｃｃａにおける脱臭フィルタ部２３ａの外周側の側縁部に、図示されていないねじ等を用いて固定されている。前面側放熱板２３ｃａは、フィルタ対向面２３ｃａａが脱臭フィルタ部２３ａに対向するように配置されている。背面側放熱板２３ｃｂは、フィルタ対向面２３ｃｃａが脱臭フィルタ部２３ａに対向するように配置され、接合部２３ｃｅが脱臭フィルタ部２３ａの貫通孔２３ａｄに挿入されている。背面側放熱板２３ｃｂは、図示されていないねじ等を用いて、接合部２３ｃｅの接合面２３ｃｅａが前面側放熱板２３ｃａの脱臭フィルタ部２３ａにおける内周側の側縁部に接合されることにより、前面側放熱板２３ｃａに固定される。
【００４０】
前面側ケース２３ｅａは、合成樹脂材から形成され、前面側放熱板２３ｃａより一回り大きい略三角形状に形成されている。前面側ケース２３ｅａは、加熱部収納部２３ｅｃと貫通孔被覆部２３ｓと一対の前面側第１フランジ２３ｔと一対の前面側第２フランジ２３ｕとを備えている。加熱部収納部２３ｅｃは、前面側放熱板２３ｃａが格納される箱状に形成され、底部２３ｅｃａと第１側部２３ｅｃｂと第２側部２３ｅｃｃと第３側部２３ｅｃｄと第４側部２３ｅｃｅとを備えている。底部２３ｅｃａは、略三角形の板状に形成されている。第１側部２３ｅｃｂと第２側部２３ｅｃｃと第３側部２３ｅｃｄと第４側部２３ｅｃｅとは、前面側放熱板２３ｃａの端面に対向するように、それぞれ、底部２３ｅｃａの外周部から立設するように形成されている。すなわち、第１側部２３ｅｃｂは、底部２３ｅｃａの外周部のうちの、脱臭フィルタ部２３ａの貫通孔２３ａｄ側に配置される部分から立設されている。第４側部２３ｅｃｅは、底部２３ｅｃａの外周部のうちの、脱臭フィルタ部２３ａの外周側に配置される部分から立設されている。第２側部２３ｅｃｃと第３側部２３ｅｃｄとは、上記以外の底部２３ｅｃａの外周部から各々立設されている。
【００４１】
貫通孔被覆部２３ｓは、貫通孔２３ａｄと同じ大きさかあるいは少し大きい円板形状に形成され、第１側部２３ｅｃｂの側端部を加熱部収納部２３ｅｃの外側に向けて延伸させて形成されている。一対の前面側第１フランジ２３ｔおよび一対の前面側第２フランジ２３ｕは、第２側部２３ｅｃｃおよび第３側部２３ｅｃｄの各々の側端部を加熱部収納部２３ｅｃの外側に向けて延伸させて形成され、各々が所定の幅寸法（例えば、２０ｍｍ）とされている。
【００４２】
フィルタ再生部２３ｆは、さらに、３個のローラ２３ｎを備えている。３個のローラ２３ｎは、それぞれ、２個のローラ２３ｍと同様に形成され、すなわち、合成樹脂材から形成され、筒部と上フランジと下フランジとを備えている。３個のローラ２３ｎは、１個の内側ローラ２３ｎｉと２個の外側ローラ２３ｎｏとを含んでいる。
【００４３】
前面側ケース２３ｅａは、さらに、３本の第３軸２３ｑと３つの遮風板２３ｙとが形成されている。３本の第３軸２３ｑは、貫通孔被覆部２３ｓと一対の前面側第２フランジ２３ｕとからそれぞれ立設されている。３本の第３軸２３ｑのうちの貫通孔被覆部２３ｓから立設されている第３軸は、内側ローラ２３ｎｉの孔に嵌合されて内側ローラ２３ｎｉを回転自在に支持している。３本の第３軸２３ｑのうちの一対の前面側第２フランジ２３ｕから立設されている２本の第３軸は、それぞれ、２個の外側ローラ２３ｎｏの孔に嵌合されて２個の外側ローラ２３ｎｏを回転自在に支持している。
【００４４】
３つの遮風板２３ｙは、脱臭フィルタ部２３ａに向けて突出するように、貫通孔被覆部２３ｓと一対の前面側第２フランジ２３ｕにそれぞれ立設されている。３つの遮風板２３ｙは、前面側ケース２３ｅａと背面側ケース２３ｅｂとが接合された際に、前面側ケース２３ｅａと背面側ケース２３ｅｂとで形成される空間と外部空間とを仕切っている。３つの遮風板２３ｙは、前面側ケース２３ｅａと背面側ケース２３ｅｂとで形成される空間と外部空間とを仕切ることにより、フィルタ再生部２３ｆに空気が流入して前面側放熱板２３ｃａや背面側放熱板２３ｃｂが冷却されることを防いでいる。
【００４５】
背面側ケース２３ｅｂは、前面側ケース２３ｅａと同様にして、合成樹脂材から形成され、背面側放熱板２３ｃｂより一回り大きい略三角形状に形成されている。背面側ケース２３ｅｂは、加熱部収納部２３ｅｄと貫通孔被覆部２３ｖと一対の背面側第１フランジ２３ｗと一対の背面側第２フランジ２３ｘとを備えている。加熱部収納部２３ｅｄは、背面側放熱板２３ｃｂが格納される有底の箱状に形成され、底部２３ｅｄａと第１側部２３ｅｄｂと第２側部２３ｅｄｃと第３側部２３ｅｄｄと第４側部２３ｅｄｅとを備えている。底部２３ｅｄａは、略三角形の板状に形成されている。第１側部２３ｅｄｂと第２側部２３ｅｄｃと第３側部２３ｅｄｄと第４側部２３ｅｄｅとは、それぞれ、背面側放熱板２３ｃｂの本体部２３ｃｃの端面に対向するように、底部２３ｅｄａの外周部から立設している。
【００４６】
貫通孔被覆部２３ｖは、背面側放熱板２３ｃｂの接合部２３ｃｅと対向するように形成され、貫通孔２３ａｄに対応した円板形状に形成されている。一対の背面側第１フランジ２３ｗおよび一対の背面側第２フランジ２３ｘは、第２側部２３ｅｄｃと第３側部２３ｅｄｄと一体に形成されている。
【００４７】
前面側ケース２３ｅａは、背面側ケース２３ｅｂに装着されることにより、ＰＴＣヒータ２３ｂと前面側放熱板２３ｃａと背面側放熱板２３ｃｂと脱臭フィルタ部２３ａの一部とが格納されるケース２３ｅに形成される。このとき、脱臭フィルタ部２３ａの外周部フィルタカバー２３ａｃは、２個の外側ローラ２３ｎｏの上フランジと下フランジとの間に嵌まる。また、脱臭フィルタ部２３ａの内周部フィルタカバー２３ａｅは、内側ローラ２３ｎｉの上フランジと下フランジとの間に嵌まる。脱臭フィルタ部２３ａは、外周部フィルタカバー２３ａｃが２個の外側ローラ２３ｎｏに嵌まり、内周部フィルタカバー２３ａｅが内側ローラ２３ｎｉに嵌まることにより、回転可能にフィルタ再生部２３ｆに支持される。
【００４８】
脱臭ユニット２３は、フィルタ再生部２３ｆが保持部２３ｇの再生部収納部２３ｇｅに格納されることにより、形成される。このとき、脱臭フィルタ部２３ａは、外周部フィルタカバー２３ａｃが２個のローラ２３ｍの上フランジ２３ｍｃと下フランジ２３ｍｄとの間に嵌まることにより、回転可能に保持部２３ｇに支持される。脱臭フィルタ部２３ａは、さらに、外周部フィルタカバー２３ａｃの歯車部３４が駆動歯車２３ｊに噛み合うことにより、駆動部２３ｈにより回転される。脱臭フィルタ部２３ａは、さらに、外周部フィルタカバー２３ａｃの歯車部３４が回転検出用歯車２３ｋに噛み合うことにより、回転検出部２３ｒにより回転が検出される。
【００４９】
［空気清浄機の動作］
空気清浄機１は、使用者により操作部１５が操作されることにより、運転が開始される。空気清浄機１は、運転が開始されると、送風機２５が駆動されるとともに、集塵ユニット２２の第１電気集塵機２２ａおよび第２電気集塵機２２ｂが通電され、加湿ユニット２４の加湿フィルタ２４ａが回転を開始する。空気清浄機１は、送風機２５が駆動されると、上面吸込口１３ａと右側面吸込口１３ｂと左側面吸込口１３ｃと下側吸込口１３ｄとから本体筐体１１の内部に空気が吸い込まれる。
【００５０】
本体筐体１１の内部に吸い込まれた空気は、上面吸込口１３ａと右側面吸込口１３ｂと左側面吸込口１３ｃと下側吸込口１３ｄとから、上面吹出口１４ａと右側面吹出口１４ｂと左側面吹出口１４ｃとに向かって通風路１０を流れる。通風路１０を流れる空気は、まず、プレフィルタ２１により塵埃が捕集される。プレフィルタ２１により塵埃が捕集された空気は、プレフィルタ２１で捕集されなかった細かな塵埃や花粉等が集塵ユニット２２により捕集される。集塵ユニット２２により塵埃が捕集された空気は、一部が脱臭ユニット２３に供給され、残りが加湿ユニット２４に供給される。
【００５１】
脱臭ユニット２３に供給された空気は、保持部２３ｇの開口部２３ｇｄを介して脱臭フィルタ２３ａａのうちのフィルタ再生部２３ｆにより覆われていない放熱板対向面に供給される。脱臭フィルタ２３ａａの放熱板対向面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等が除去されていることにより、塵埃や花粉等によって目詰まりすることが防止される。
【００５２】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４により加湿された空気は、送風機２５に供給される。送風機２５に供給された空気は、上面吹出口１４ａと右側面吹出口１４ｂと左側面吹出口１４ｃとから吹き出される。
【００５３】
空気清浄機１は、運転しているときに、ＰＴＣヒータ２３ｂに継続して通電を行うとともに、駆動部２３ｈを駆動して脱臭フィルタ部２３ａを所定時間毎に所定角度回転させる。その所定時間は、脱臭フィルタ部２３ａの脱臭能力の再生に必要な時間であり、例えば２時間が例示される。その所定角度としては、３０度が例示される。空気清浄機１は、脱臭フィルタ部２３ａを回転させることにより、脱臭フィルタ２３ａａにおけるフィルタ再生部２３ｆで覆われる部分の脱臭能力を再生している。すなわち、空気清浄機１は、脱臭フィルタ２３ａａのフィルタ再生部２３ｆで覆われる場所の脱臭能力の再生を行いつつ、脱臭フィルタ２３ａａのフィルタ再生部２３ｆで覆われていない部分で空気を脱臭している。
[脱臭フィルタ部の構成]
【００５４】
図９は、脱臭フィルタ部の斜視図である。脱臭フィルタ部２３ａは、前述の通り、脱臭フィルタ２３ａａ、フィルタ保持枠としての外周部フィルタカバー２３ａｃ、及び内周部フィルタカバー２３ａｅを有する。外周部フィルタカバー２３ａｃは、概ね円環状に形成され、脱臭フィルタ２３ａａの外周側に配置され、脱臭フィルタ２３ａａの外周側の側面（フィルタ端面４３）を保護している。
【００５５】
図１０は、図９におけるＤ−Ｄ断面斜視図である。図１１は、図９におけるＤ−Ｄ断面図である。図１１に示されているように、実施例１の脱臭フィルタ２３ａａは、前面側放熱板対向面４２と背面側放熱板対向面４１とフィルタ端面４３とを有する円板状に形成されている。前面側放熱板対向面４２は、脱臭フィルタ２３ａａの一方の側に形成され、平坦に形成される平面であり、前面側放熱板２３ｃａに対向して配置されている。背面側放熱板対向面４１は、脱臭フィルタ２３ａａのうちの前面側放熱板対向面４２が形成される側の反対側に形成され、平坦に形成される平面であり、背面側放熱板２３ｃｂに対向して配置されている。フィルタ端面４３は、脱臭フィルタ２３ａａの外周側の側面であり、前面側放熱板対向面４２と背面側放熱板対向面４１との間に形成されている。
【００５６】
外周部フィルタカバー２３ａｃは、第１外周部フィルタカバー部３１と第２外周部フィルタカバー部３２とを備えている。第１外周部フィルタカバー部３１は、第１筒部３３と歯車部３４と第１歯車フランジ部３５と第１フィルタフランジ部４５とを備えている。第１筒部３３は、筐体の前後方向（Ｘ方向）に沿った中心軸を有する筒状に形成されている。歯車部３４は、複数の歯３４１から形成され、第１筒部３３の側面に接合されている。第１歯車フランジ部３５は、第１筒部３３の一端から外周側に張り出すように形成され、歯車部３４の一方の側面を覆っている。第１フィルタフランジ部４５は、第１筒部３３の一端から内周側に張り出すように形成され、脱臭フィルタ２３ａａの前面側放熱板対向面４２の外周側の一部を覆っている。
【００５７】
第２外周部フィルタカバー部３２は、第２筒部３６と第２歯車フランジ部３７と第２フィルタフランジ部４６とを備えている。第２筒部３６は、第１筒部３３と同様に、筐体の前後方向（Ｘ方向）に沿った中心軸を有する筒状に形成されている。第２歯車フランジ部３７は、第２筒部３６の一端から外周側に張り出すように形成されている。第２筒部３６は、側面にさらに、複数の孔３８が形成されている。第２フィルタフランジ部４６は、第２筒部３６の一端から内周側に張り出すように形成され、脱臭フィルタ２３ａａの背面側放熱板対向面４１の外周側の一部を覆っている。そして、脱臭フィルタ２３ａａは、前面側放熱板対向面４２および背面側放熱板対向面４１の外周側の一部が、第１フィルタフランジ部４５と第２フィルタフランジ部４６とに挟まれるようにして保持されている。
【００５８】
第１外周部フィルタカバー部３１の第１筒部３３は、図１０、図１１に示されているように、第１筒部３３の内周面３３２から突出している複数の爪３９が形成されている。第２外周部フィルタカバー部３２は、第２筒部３６が第１筒部３３の内側に挿入されたときに、第１筒部３３の複数の爪３９が複数の孔３８にそれぞれ嵌合される。第２外周部フィルタカバー部３２は、第２筒部３６が第１筒部３３の内側に嵌合されることにより、第１外周部フィルタカバー部３１に固定される。すなわち、外周部フィルタカバー２３ａｃは、第２筒部３６の外周面３６１が第１筒部３３の内周面３３２と対向するように、第２外周部フィルタカバー部３２が第１外周部フィルタカバー部３１に取りつけられることにより、形成される。第２歯車フランジ部３７は、第２外周部フィルタカバー部３２が第１外周部フィルタカバー部３１に取りつけられることにより、歯車部３４のうちの第１歯車フランジ部３５により覆われる側面の反対側の側面を覆っている。
【００５９】
図１２は、実施例１のフィルタユニットの脱臭フィルタ部２３ａを示す平面図である。図１３は、実施例１のフィルタユニット２３の脱臭フィルタ部２３ａを示す拡大図である。外周部フィルタカバー２３ａｃは、脱臭フィルタ２３ａａのフィルタ端面４３を覆う筒部（第１筒部３３、第２筒部３６）と、脱臭フィルタ２３ａａを通風方向の前後から挟む一対のフィルタフランジ部（第１フィルタフランジ部４５、第２フィルタフランジ部４６）とを備えている。脱臭フィルタ２３ａａは円板状に形成されており、脱臭フィルタ２３ａａのフィルタ端面４３は、外周部フィルタカバー２３ａｃの第２筒部３６の内周面３６２と対向するように配置されている。
【００６０】
脱臭フィルタ２３ａａのフィルタ端面４３の位置、および、外周部フィルタカバー２３ａｃにおける第２筒部３６の内周面３６２の位置を、図１２、図１３に点線で示す。外周部フィルタカバー２３ａｃは、図１２、図１３に示されているように、外周部フィルタカバー２３ａｃの筒部（図１０や図１１における第１筒部３３、第２筒部３６）から脱臭フィルタ２３ａａの内周側へと、フィルタフランジ部（第１フィルタフランジ部４５、第２フィルタフランジ部４６）が張り出している。脱臭フィルタ２３ａａを通風方向の前後から挟む一対のフィルタフランジ部（第１フィルタフランジ部４５、第２フィルタフランジ部４６）は、筒部に沿った環状に形成されるとともに、筒部から脱臭フィルタ部２３ａの貫通孔２３ａｄの中心Ｏへと向かう方向（以下、「内径方向」と記載）へと張り出すフランジの幅の長さ（以下、「フランジ幅Ｗ」と記載）が、脱臭フィルタ部２３ａの円周方向で変化するようになっている。フィルタフランジ部は、フランジ幅Ｗが最大となる複数のフランジ幅最広部ＰＭと、フランジ幅Ｗが最小となる複数のフランジ幅最狭部Ｐｍとを有している。フランジ幅最広部ＰＭにおけるフランジ幅ＷをＷｍａｘとし、フランジ幅最狭部Ｐｍにおけるフランジ幅ＷをＷｍｉｎとする。実施例１では、Ｗｍｉｎ＜Ｗｍａｘの関係が保たれており、ＷｍｉｎとＷｍａｘの大きさの比は約１：５とされている。図１２に示されるように、脱臭フィルタ部２３ａの貫通孔２３ａｄの中心Ｏを中心とした半径Ｒの仮想円５０が一点鎖線で示されている。仮想円５０は、フランジ幅最広部ＰＭの内径方向の端面と内接する。
【００６１】
このように、フィルタフランジ部は、筒部からフィルタの内径方向へと張り出す幅の長さをフランジ幅Ｗとしたとき、フランジ幅Ｗが大きい幅広部（例えば、フランジ幅最広部ＰＭ）を備えることによって、幅広部においては脱臭フィルタ２３ａａを挟持するフランジ幅Ｗを小さくせずに済むので、脱臭フィルタ２３ａａの外周部を確実に挟持することができる。これにより、フィルタ保持枠である外周部フィルタカバー２３ａｃから脱臭フィルタ２３ａａが外れてしまうのを防止することができる。
【００６２】
また、フランジ幅Ｗが脱臭フィルタ部２３ａの円周方向で変化して、幅広部よりもフランジ幅Ｗが小さい幅狭部（例えば、フランジ幅最狭部Ｐｍ）を備えることにより、フィルタフランジ部の面積を縮小できるので、脱臭フィルタの通風領域を拡大することができる。例えば、従来のようにフランジ幅Ｗが一定値である場合（フィルタフランジ部の内径方向の端面が図１２および図１３の仮想円５０に位置する場合）に比べ、通風領域を、図１２および図１３における仮想円５０と「く」の字に折れ曲がった実線とで囲まれた略三角形状の領域の分だけ大きくすることができる。そして、脱臭フィルタ部２３ａの通風領域を大きくすることができるので、脱臭フィルタ部２３ａの通風抵抗を低減させることができる。なお、実施例１では、ＷｍｉｎとＷｍａｘの比が約１：５とされているが、この比率は任意であり、Ｗｍｉｎ＜Ｗｍａｘの関係が保たれていればよい。
【００６３】
また、図１２や図１３に示されているように、実施例１のフィルタユニット２３において、フィルタフランジ部の最小フランジ幅ＷｍｉｎがＷｍｉｎ＞０とされており、フィルタフランジ部は、円周方向で途切れている箇所がなく、環状に繋がるように形成されている。そのため、例えば、フィルタフランジ部にある方向への力が加えられた場合であっても、力が加えられた箇所から環状に繋がっているフィルタフランジ部の他の部分へと力が伝播するので、フィルタフランジ部に局所的にかかった力が様々な方向へ分散されて、フィルタフランジ部が破損しにくい。
【００６４】
また、図１２や図１３に示されるように、実施例１の脱臭フィルタ部２３ａのフィルタフランジ部（４５、４６）は、脱臭フィルタ部２３ａの貫通孔２３ａｄの中心Ｏを中心とした半径Ｒの仮想円５０が、各フランジ幅最広部ＰＭの内径方向の端面に内接するよう、形成されている。仮想円５０は一点鎖線で示す。さらに、フィルタフランジ部は、ある１つのフランジ幅最広部ＰＭの内径方向の端面と、これと隣り合う２つのフランジ幅最狭部Ｐｍの内径方向の端面とをそれぞれ直線で結んだとき、それら２つの直線が平角（１８０度の角）をなすように形成されている。また、円周方向に隣り合うフランジ幅最広部ＰＭとフランジ幅最狭部Ｐｍの間では、フランジ幅最広部ＰＭからフランジ幅最狭部Ｐｍに向かうにつれてフランジ幅Ｗが徐々に小さくなっている。このように、フランジ幅Ｗが大きい幅広部（例えば、フランジ幅最広部ＰＭ）からフランジ幅Ｗが小さい幅狭部（例えば、フランジ幅最狭部Ｐｍ）に向かうにつれてフランジ幅Ｗを徐々に小さくすることで、後述する実施例４のようにフランジ幅Ｗが急激に変化する場合に比べて、脱臭フィルタ２３ａａの外周部付近の通風面とフィルタ保持枠のフィルタフランジ部との接触面積を大きくすることができる。そのため、フランジ幅Ｗが急激に変化する場合に比べて、フィルタフランジ部に外力が加わった際にフィルタフランジ部の内部に生じる応力（単位面積当たりの抵抗力）が局所的に大きくなるのを防ぐことができるので、脱臭フィルタ２３ａａを挟持するフィルタフランジ部が応力によって破損してしまうのを防ぐことができる。
【００６５】
次に、実施例２について説明する。実施例２の脱臭フィルタ部２３ａのフィルタフランジ部（４５、４６）は、図１４に示されるように、脱臭フィルタ部２３ａの貫通孔２３ａｄの中心Ｏを中心とした半径Ｒの仮想円５０が、各フランジ幅最広部ＰＭの内径方向の端面に内接するよう、形成されている。また、実施例２では、実施例１と異なり、フィルタフランジ部の各フランジ幅最広部ＰＭは、鈍角の角部６１を１つずつ有している。実施例２では、鈍角の角部６１は約１２０度の角をなすように形成されている。そして、実施例１と同様に、円周方向に隣り合うフランジ幅最広部ＰＭとフランジ幅最狭部Ｐｍの間では、フランジ幅最広部ＰＭからフランジ幅最狭部Ｐｍに向かうにつれてフランジ幅Ｗが徐々に小さくなっている。これにより、フィルタフランジ部の面積を縮小して通風抵抗を低減しつつ、脱臭フィルタ２３ａａの外周部付近の通風面とフィルタフランジ部とが接触する面積を大きくすることができる。そのため、フィルタフランジ部の内部に生じる応力が局所的に大きくなるのを防ぐことができるので、脱臭フィルタ２３ａａを挟持するフィルタフランジ部が破損してしまうのを防ぐことができる。
【００６６】
なお、実施例２では、フィルタフランジ部は筒部に沿った環状に形成されている一方、フランジ幅最狭部Ｐｍでのフランジ幅ＷｍｉｎがＷｍｉｎ＝０とされており、このＰｍにおいてフィルタフランジ部が脱臭フィルタ部２３ａの円周方向で途切れている。フィルタフランジ部は、実施例２のように、脱臭フィルタ部２３ａの円周方向で途切れていてもよい。
【００６７】
次に、実施例３について説明する。実施例３の脱臭フィルタ部２３ａのフィルタフランジ部（４５、４６）は、図１５に示すように、脱臭フィルタ部２３ａの貫通孔２３ａｄの中心Ｏを中心とした半径Ｒの仮想円５０が、各フランジ幅最広部ＰＭの内径方向の端面に内接するよう、形成されている。また、フランジ幅最狭部Ｐｍは、脱臭フィルタ部２３ａの円周方向に広がるように形成されている。言い換えれば、フランジ幅最狭部Ｐｍは、脱臭フィルタ部２３ａの円周方向に対して所定の長さを有している。フランジ幅最狭部Ｐｍが円周方向に対して所定の長さを有する場合は、脱臭フィルタの放熱板対向面においてフィルタフランジ部によって塞がれてしまう領域の面積をより縮小することができるので、通風抵抗をより低減することができる。
【００６８】
さらに、実施例３の脱臭フィルタ部２３ａは、実施例１と同様に、円周方向に隣り合うフランジ幅最広部ＰＭとフランジ幅最狭部Ｐｍの間では、フランジ幅最広部ＰＭからフランジ幅最狭部Ｐｍに向かうにつれてフランジ幅Ｗが徐々に小さくなっている。これにより、フィルタフランジ部の面積を縮小して通風抵抗を低減しつつ、脱臭フィルタ２３ａａの外周部付近の通風面とフィルタフランジ部が接触する面積を大きくすることができる。そのため、フィルタフランジ部の内部に生じる応力が局所的に大きくなるのを防ぐことができるので、脱臭フィルタ２３ａａを挟持するフィルタフランジ部が破損してしまうのを防ぐことができる。
【００６９】
次に、実施例４について説明する。実施例４の脱臭フィルタ部２３ａのフィルタフランジ部（４５、４６）は、図１６に示すように、脱臭フィルタ部２３ａの貫通孔２３ａｄの中心Ｏを中心とした半径Ｒの仮想円５０が、各フランジ幅最広部ＰＭの内径方向の端面に内接するよう、形成されている。また、実施例４では、実施例１〜３とは異なり、円周方向に隣り合うフランジ幅最広部ＰＭとフランジ幅最狭部Ｐｍの間でフランジ幅Ｗが急激に変化している。具体的には、フィルタフランジ部の各フランジ幅最広部ＰＭは、直角の角部６２を２つずつ有しており、直角の角部６２においてフランジ幅ＷがＷｍａｘからＷｍｉｎまで変化している。フランジ幅Ｗを急激に変化させるようにしたことにより、フィルタフランジ部の内部に生じる応力が局所的に大きくなるものの、脱臭フィルタの放熱板対向面においてフィルタフランジ部によって塞がれてしまう領域の面積をより縮小することができるので、通風抵抗をより低減することができる。
【００７０】
以上説明した図１４〜図１６に示されている実施例２〜４のフィルタユニットにおいても、フィルタフランジ部は、フランジ幅Ｗが大きい幅広部と、幅広部よりもフランジ幅Ｗが小さい幅狭部とを有している。そのため、実施例２〜４のフィルタユニットについても、フランジ幅Ｗが大きい幅広部（例えば、フランジ幅最広部ＰＭ）を備えることにより、幅広部においてはフィルタフランジ部を挟持するフランジ幅Ｗを小さくせずに済むので、脱臭フィルタ２３ａａの外周部を確実に挟持することができる。よって、フィルタ保持枠である外周部フィルタカバー２３ａから脱臭フィルタ２３ａａが外れてしまうのを防止することができる。また、幅広部よりもフランジ幅Ｗが小さい幅狭部（例えば、フランジ幅最狭部Ｐｍ）を備えることにより、フィルタフランジ部の面積を縮小でき、よって、脱臭フィルタの放熱板対向面においてフィルタフランジ部によって塞がれない通風領域を大きくすることができるので、脱臭フィルタ部の通風抵抗を低減させることができる。
【００７１】
なお、実施例１〜４では、各々の実施例で円周方向に配置された複数の幅広部について、幅広部が設けられている位置によらず幅広部のフランジ幅Ｗの大きさは全て同じ大きさとされている場合を例示したが、複数の幅広部のフランジ幅Ｗの大きさはそれぞれ異なっていてもよい。同様に、実施例１〜４では、各々の実施例で円周方向に配置された複数の幅狭部について、幅狭部が設けられている位置によらず幅狭部のフランジ幅Ｗの大きさは全て同じ大きさとされている場合を例示したが、複数の幅狭部のフランジ幅Ｗの大きさはそれぞれ異なっていてもよい。
【００７２】
ところで、実施形態のフィルタユニットは、脱臭ユニット２３として空気清浄機１に設けられて空気を脱臭することに利用されているが、脱臭以外の用途に利用されてもよい。その用途としては、除湿が例示される。実施形態のフィルタユニットは、除湿に利用されるときに、フィルタユニットの脱臭フィルタ２３ａａに設けられる触媒が乾燥剤に置換されている。乾燥剤は、脱臭フィルタ２３ａａを通過する空気から水分を吸着し、加熱されることによりその吸着された水分を脱離し再生される。このような乾燥剤としては、ゼオライトが例示される。実施形態のフィルタユニットは、除湿に利用される場合であっても、フィルタフランジ部が幅広部と幅狭部とを有することにより、フィルタがフィルタ保持枠から外れるのを防止しつつ、フィルタの放熱板対向面における通風領域を拡大して通風抵抗を低減することができる。
【００７３】
なお、本発明は、以上説明した実施形態に限定されることはなく、本発明の主旨を逸脱しない範囲で種々変形することが可能である。
【００７４】
本発明のフィルタユニットは、前述したように、フィルタ保持枠が、フィルタの外周側の側面を覆う筒部と、フィルタを通風方向の前後から挟む一対のフィルタフランジ部とを備え、フィルタフランジ部は、筒部からフィルタの内径方向へと張り出す幅の長さをフランジ幅としたとき、フランジ幅が大きい幅広部と、幅広部よりもフランジ幅が小さい幅狭部とを有する。これにより、例えば、フィルタの放熱板対向面においてフィルタフランジ部によって塞がれない通風領域を大きくすることができるので、フィルタユニットにおける通風抵抗を低減することができる。また、例えば、フィルタの外周部を挟持することができるので、フィルタ保持枠からフィルタが外れてしまうのを防止することができる。
【００７５】
また、フィルタフランジ部は、環状に繋がるように形成されている。そのため、例えば、フィルタフランジ部に局所的な力が加えられた場合であっても、力が加えられた箇所から環状に繋がっているフィルタフランジ部の他の部分に力が伝播するので、フィルタフランジ部に局所的にかかった力が分散されて、フィルタフランジ部が破損しにくい。
【００７６】
また、フィルタフランジ部は、円周方向に隣り合った幅広部と幅狭部との間では、幅広部から幅狭部に向かうにつれて、フランジ幅が徐々に小さくなっている。これにより、例えば、フィルタフランジ部の面積を縮小して通風抵抗を低減しつつ、フィルタの外周部付近の通風面とフィルタフランジ部が接触する面積を大きくすることができる。そのため、フィルタフランジ部の内部に生じる応力が局所的に大きくなるのを防ぐことができるので、フィルタを挟持するフィルタフランジ部が破損してしまうのを防ぐことができる。
【符号の説明】
【００７７】
１ ：空気清浄機 
１０：通風路
１１：本体筐体
２１：プレフィルタ
２２：集塵ユニット
２３：脱臭ユニット
２３ａ：脱臭フィルタ部
２３ａａ：脱臭フィルタ
２３ａｃ：外周部フィルタカバー（フィルタ保持枠）
２３ａｄ：貫通孔
２３ａｅ：内周部フィルタカバー
２３ｂ：ＰＴＣヒータ
２３ｃ：放熱板
２３ｄ：保持部
２３ｆ：フィルタ再生部
２３ｇ：保持部
２４：加湿ユニット
２５：送風機
３０：仮想平面
３１：第１外周部フィルタカバー部
３２：第２外周部フィルタカバー部
３３：第１筒部
３４：歯車部
３５：第１歯車フランジ部
３６：第２筒部
３７：第２歯車フランジ部
４１：背面側放熱板対向面
４２：前面側放熱板対向面
４３：フィルタ端面
４４：貫通孔端面
４５：第１フィルタフランジ部
４６：第２フィルタフランジ部
５０：仮想円
６０：角部
６１：鈍角の角部
６２：直角の角部
Ｏ：貫通孔の中心
Ｐｍ：フランジ幅最狭部（幅狭部）
ＰＭ：フランジ幅最広部（幅広部）
Ｒ：仮想円の半径
Ｗ：フランジ幅
Ｗｍａｘ：最大フランジ幅
Ｗｍｉｎ：最小フランジ幅
【図１】
2018164592.tif 000003
【図２】
2018164592.tif 000004
【図３】
2018164592.tif 000005
【図４】
2018164592.tif 000006
【図５】
2018164592.tif 000007
【図６】
2018164592.tif 000008
【図７】
2018164592.tif 000009
【図８】
2018164592.tif 000010
【図９】
2018164592.tif 000011
【図１０】
2018164592.tif 000012
【図１１】
2018164592.tif 000013
【図１２】
2018164592.tif 000014
【図１３】
2018164592.tif 000015
【図１４】
2018164592.tif 000016
【図１５】
2018164592.tif 000017
【図１６】
2018164592.tif 000018